(57)【要約】【課題】  ユーザーの金銭的な負担を軽減させ、確実に残しておきたいデータを保護する。【解決手段】  デジタルカメラ２では、データを記録する記録メディアとして、データの書き換えが可能な第１記録メディア４５と、一度書き込まれたデータの消去が不可能で、データの読み出しのみが可能な第２記録メディア４６とを用いる。データを記録する記録メディアとして、第２記録メディア４６を選択した場合、第２記録メディア４６に記録する画像データのプレビューをＬＣＤ１８に表示して、このプレビュー表示された画像データの記録の可否をユーザーに選択させる。確実に残しておきたいデータを誤って消去してしまうおそれがなくなり、第２記録メディア４６への不必要なデータの記録を防止することができる。【選択図】        図３
2005151350.tif 000002
【特許請求の範囲】
【請求項１】
撮影装置に着脱自在に装填され、前記撮影装置で取得したデータが記録される撮影装置用記録メディアであって、
一度書き込まれた前記データの消去が不可能で、前記データの読み出しのみが可能であることを特徴とする撮影装置用記録メディア。
【請求項２】
撮影装置本体に内蔵、若しくは着脱自在に装填され、データの書き換えが可能な第１記録メディアと、
撮影装置本体に着脱自在に装填され、一度書き込まれたデータの消去が不可能で、データの読み出しのみが可能な第２記録メディアとを備えたことを特徴とする撮影装置。
【請求項３】
前記第２記録メディアに前記データを記録する際に、記録の可否をユーザーに選択させる記録選択手段を備えたことを特徴とする請求項２に記載の撮影装置。
【請求項４】
前記第２記録メディアに記録する画像データのプレビューを表示する画像表示手段を備えたことを特徴とする請求項２または３に記載の撮影装置。
【請求項５】
前記データを前記第１記録メディアに一旦記録しておき、前記記録選択手段により記録を許可されたデータを、前記第１記録メディアから前記第２記録メディアにコピーする記録制御手段を備えたことを特徴とする請求項２ないし４のいずれかに記載の撮影装置。
【請求項６】
前記第２記録メディアに前記データを無条件で記録する特殊モードを設けたことを特徴とする請求項２ないし５のいずれかに記載の撮影装置。
【請求項７】
前記第２記録メディアに記録されたデータへのアクセスの可否を判定する認証手段を設けたことを特徴とする請求項２ないし６のいずれかに記載の撮影装置。
【発明の詳細な説明】
【技術分野】
【０００１】
本発明は、撮影装置に着脱自在に装填され、撮影装置で取得したデータが記録される撮影装置用記録メディア、および撮影装置に関する。
【背景技術】
【０００２】
撮影装置として、ＣＣＤなどの固体撮像素子で撮像した被写体画像をデジタルの画像データに変換し、内蔵メモリやメモリカードなどの記録メディアに記録するデジタルカメラが普及している。記録メディアには、データの書き換えが可能な所謂フラッシュメモリが使用されている。
【０００３】
フラッシュメモリには、膨大なデータを記録することが可能で、データを保持するための電源が不要であるといった利点がある反面、データの書き換え回数が限られているという短所がある。したがって、データの記録・消去を繰り返すことによって、記録されたデータの信頼性が低下するという問題があった。
【０００４】
上記問題を解決するために、不揮発性メモリのデータ消去回数をカウントし、消去回数が保証回数を超えていた場合は、画像の記録を禁止するスチルビデオカメラが提案されている（特許文献１参照）。
【０００５】
【特許文献１】特開平８−２１４２５０号公報
【発明の開示】
【発明が解決しようとする課題】
【０００６】
現在市販されているデジタルカメラ用記録メディアは、ある程度の消去回数を保証しなければならないので、ユーザーにとっては比較的高価なものであった。このため、例えば記録メディアの容量が不足したときや、記録メディアを忘れてしまったときなどには、ユーザーに金銭的な負担を強いることとなる。また、従来のデジタルカメラは、ユーザーの操作により簡単にデータの消去を行えるので、確実に残しておきたいデータを誤って消去してしまうおそれがあった。
【０００７】
本発明は、上記課題を鑑みてなされたものであり、ユーザーの金銭的な負担を軽減させることができ、確実に残しておきたいデータを保護することができる撮影装置用記録メディア、および撮影装置を提供することを目的とする。
【課題を解決するための手段】
【０００８】
上記目的を達成するために、本発明は、撮影装置に着脱自在に装填され、前記撮影装置で取得したデータが記録される撮影装置用記録メディアであって、一度書き込まれた前記データの消去が不可能で、前記データの読み出しのみが可能であることを特徴とする。
【０００９】
また、本発明の撮影装置は、撮影装置本体に内蔵、若しくは着脱自在に装填され、データの書き換えが可能な第１記録メディアと、撮影装置本体に着脱自在に装填され、一度書き込まれたデータの消去が不可能で、データの読み出しのみが可能な第２記録メディアとを備えたことを特徴とする。
【００１０】
なお、前記第２記録メディアに前記データを記録する際に、記録の可否をユーザーに選択させる記録選択手段を備えることが好ましく、前記第２記録メディアに記録する画像データのプレビューを表示する画像表示手段を備えることが好ましい。また、前記データを前記第１記録メディアに一旦記録しておき、前記記録選択手段により記録を許可されたデータを、前記第１記録メディアから前記第２記録メディアにコピーする記録制御手段を備えることが好ましい。
【００１１】
また、前記第２記録メディアに前記データを無条件で記録する特殊モードを設けることが好ましい。さらに、前記第２記録メディアに記録されたデータへのアクセスの可否を判定する認証手段を設けることが好ましい。
【発明の効果】
【００１２】
本発明の撮影装置用記録メディアによれば、一度書き込まれたデータの消去が不可能で、データの読み出しのみが可能であるので、フラッシュメモリのように消去回数を保証する必要がなく、比較的安価なコストで製造することが可能である。したがって、ユーザーの金銭的な負担を軽減させることができる。
【００１３】
また、本発明の撮影装置によれば、撮影装置本体に内蔵、若しくは着脱自在に装填され、データの書き換えが可能な第１記録メディアと、撮影装置本体に着脱自在に装填され、一度書き込まれたデータの消去が不可能で、データの読み出しのみが可能な第２記録メディアとを備えたので、確実に残しておきたいデータを誤って消去してしまうおそれがなくなる。また、第２記録メディアへの不必要なデータの記録を防止することができる。
【発明を実施するための最良の形態】
【００１４】
図１および図２において、本発明を適用したデジタルカメラ２の前面には、撮像レンズ１０を保持するレンズ鏡胴１１が組み込まれている。デジタルカメラ２の上面には、レリーズボタン１２、電源スイッチ１３、およびモードダイヤル１４が設けられており、側面には、第１、第２記録メディア４５、４６（図３参照）が着脱自在に装填される第１、第２メモリカードスロット４３、４４（図３参照）を覆う蓋１５が設けられている。
【００１５】
デジタルカメラ２の背面には、電子ビューファインダ（ＥＶＦ）１６を構成するファインダ接眼窓１７、液晶表示器（ＬＣＤ）１８、および操作部１９などが設けられている。ＥＶＦ１６およびＬＣＤ１８には、撮影した画像やいわゆるスルー画像、各種メニュー画面が表示される。
【００１６】
操作部１９は、ズーム操作ボタン２０、メニューボタン２１、および十字キー２２から構成される。ズーム操作ボタン２０は、撮像レンズ１０のズーム倍率をワイド側、テレ側に変倍する際に押圧操作される。メニューボタン２１は、ＬＣＤ１８にメニュー画面を表示させたり、選択内容を決定・キャンセルする際、ＥＶＦ１６とＬＣＤ１８の表示切替、第１、第２記録メディア４５、４６の記録切替の際などに操作される。十字キー２２は、ＬＣＤ１８に表示されるメニュー画面内でカーソルを移動させる際に操作される。
【００１７】
レリーズボタン１２は、２段階押しのスイッチとなっている。ＥＶＦ１６またはＬＣＤ１８によるフレーミングの後に、レリーズボタン１２を軽く押圧（半押し）すると、自動露光調整（ＡＥ）、自動焦点調整（ＡＦ）などの各種撮影準備処理が施される。この状態でレリーズボタン１２をもう１度強く押圧（全押し）すると、撮影準備処理が施された１画面分の撮像信号が画像データに変換された後、後述する画像処理および圧縮処理が施され、第１記録メディア４５または第２記録メディア４６に記録される。
【００１８】
デジタルカメラ２では、静止画撮影を行う静止画撮影モード、動画撮影を行う動画撮影モード、撮影した画像をＥＶＦ１６またはＬＣＤ１８に表示する再生モード、および各種設定を行う設定モードが選択可能となっている。これらのモードの切り替えは、モードダイヤル１４を回動操作させることで行われる。なお、動画撮影モードでは、動画の撮影とともに、前面に設けられたマイクロホン２３を介して周囲の音声が収録される。
【００１９】
デジタルカメラ２の電気的構成を示す図３において、撮像レンズ１０の背後には、撮像レンズ１０から入射する被写体光を撮像信号に変換するＣＣＤ３０が配置されている。ＣＣＤ３０で変換された撮像信号は、相関二重サンプリング回路（ＣＤＳ）３１に入力される。ＣＤＳ３１は、ＣＣＤ３０から入力された撮像信号を、ＣＣＤ３０の各セルの蓄積電荷量に正確に対応したＲ、Ｇ、Ｂの画像データとして出力する。
【００２０】
ＣＤＳ３１から出力された画像データは、増幅器（ＡＭＰ）３２で増幅される。Ａ／Ｄ変換器３３は、ＡＭＰ３２で増幅された画像データをデジタルの画像データに変換する。Ａ／Ｄ変換器３３から出力されたデジタルの画像データは、画像信号処理回路３４に送信される。
【００２１】
画像信号処理回路３４は、階調変換、ホワイトバランス補正、γ補正処理などの各種画像処理を画像データに施す。画像信号処理回路３４で各種処理を施された画像データは、ＳＤＲＡＭ３５に一旦格納される。このＳＤＲＡＭ３５に格納された画像データは、ＥＶＦドライバ３６を介してＥＶＦ１６に表示される。あるいは、ＬＣＤドライバ３７によりコンポジット信号に変換され、ＬＣＤ１８に表示される。
【００２２】
マイクロホン２３で収録された音声は、Ａ／Ｄ変換器（Ａ／Ｄ）３８によりデジタルの音声データに変換され、音声信号処理回路３９に入力される。音声信号処理回路３９は、入力されたデジタルの音声データに対して、ノイズ除去などの各種音声処理を施す。
【００２３】
ＹＣ処理回路４０は、画像信号処理回路３４で各種処理を施された画像データをＳＤＲＡＭ３５から読み出して、輝度信号Ｙと色差信号Ｃｒ、Ｃｂとに変換する。圧縮伸長処理回路４１は、この変換された画像データに対して、所定の圧縮形式（例えばＪＰＥＧ形式）で画像圧縮を施す。圧縮伸長処理回路４１により圧縮された画像データは、カードＩ／Ｆ４２を介して、第１、第２メモリカードスロット４３、４４に装填された第１、第２記録メディア４５、４６に記録される。
【００２４】
第１記録メディア４５は、データの書き換えが可能なフラッシュメモリからなる。また、第２記録メディア４６は、一度書き込まれたデータの消去が不可能で、データの読み出しのみが可能なライトオンリーメモリからなる。第２記録メディア４６は、フラッシュメモリのように消去回数を保証する必要がなく、比較的安価なコストで製造することが可能である。
【００２５】
ＣＰＵ４７は、バス４８を介して各部に接続し、デジタルカメラ２全体の動作を統括的に制御する。ＣＰＵ４７には、前述のレリーズボタン１２、操作部１９の他に、ＥＥＰＲＯＭ４９が接続されている。ＥＥＰＲＯＭ４９には、各種制御用のプログラムや設定情報などが記録されている。ＣＰＵ４７は、これらの情報をＥＥＰＲＯＭ４９から作業用メモリであるＳＤＲＡＭ３５に読み出して、各種処理を実行する。
【００２６】
データを記録する記録メディアとして、第２記録メディア４６を選択した場合、ＬＣＤ１８は、第２記録メディア４６に記録する画像データのプレビューを表示する。そして、このプレビュー表示された画像データの記録の可否をユーザーに選択させる。ユーザーは、メニューボタン２１を操作して、画像データの記録の可否を決定する。
【００２７】
ユーザーにより記録が許可された場合、ＣＰＵ４７は、カードＩ／Ｆ４２を制御して、第２記録メディア４６に画像データを記録する。一方、記録が許可されなかった場合は、画像データをそのまま破棄するか、第１記録メディア４５に記録する。
【００２８】
次に、上記実施形態による作用について、図４のフローチャートを参照して説明する。まず、モードダイヤル１４が回動操作され、静止画撮影モード、若しくは動画撮影モードが選択された場合、撮像レンズ１０を介して入射した被写体光は、ＣＣＤ３０により光電変換され、ＣＤＳ３１でサンプリングされる。
【００２９】
ＣＤＳ３１から出力された画像データは、ＡＭＰ３２で増幅され、Ａ／Ｄ３３でデジタルの画像データに変換される。デジタル変換された画像データは、画像信号処理回路３４で各種画像処理が施され、ＳＤＲＡＭ３５に順次格納される。ＳＤＲＡＭ３５に格納された画像データは、ＥＶＦドライバ３６またはＬＣＤドライバ３７を介して、ＥＶＦ１６またはＬＣＤ１８にスルー画像として表示される。この状態でレリーズボタン１２が半押しされると、自動露光調整（ＡＥ）、自動焦点調整（ＡＦ）などの各種撮影準備処理が施される。
【００３０】
撮影準備処理後、レリーズボタン１２の全押しにより撮影が実行されると、静止画撮影モード下では、そのときＳＤＲＡＭ３５に格納されている画像データがＹＣ処理回路４０に読み出され、輝度信号Ｙと色差信号Ｃｒ、Ｃｂとに変換された後、圧縮伸長処理回路４１で圧縮処理が施され、カードＩ／Ｆ４２を経由して第１記録メディア４５または第２記録メディア４６に記録される。
【００３１】
一方、動画撮影モード下では、レリーズボタン１２が再度全押しされるまで、一定のフレームレート（例えば３０フレーム／秒）で画像データが記録される。また、これと同時にマイクロホン２３を介して周囲の音声が収録される。マイクロホン２３で収録された音声は、Ａ／Ｄ３８によりデジタルの音声データに変換され、音声信号処理回路３９で各種音声処理が施された後、画像データと関連付けられて第１記録メディア４５または第２記録メディア４６に記録される。
【００３２】
データを記録する記録メディアとして、第２記録メディア４６が選択されていた場合、第２記録メディア４６に記録する画像データのプレビューがＬＣＤ１８に表示される。そして、このプレビュー表示された画像データの記録の可否がユーザーにより選択される。ユーザーは、メニューボタン２１を操作して、画像データの記録の可否を決定する。
【００３３】
ユーザーにより記録が許可された場合、ＣＰＵ４７によりカードＩ／Ｆ４２が制御され、第２記録メディア４６に画像データが記録される。一方、記録が許可されなかった場合は、画像データがそのまま破棄されるか、第１記録メディア４５に記録される。
【００３４】
フラッシュメモリからなる第１記録メディア４５と、ライトオンリーメモリからなる第２記録メディア４６とが併用されているので、ユーザーの金銭的な負担を軽減させることができる。また、ユーザーがプレビューを見て確認してから第２記録メディア４６にデータを記録するようにしたので、確実に残しておきたいデータを誤って消去してしまうおそれがなくなる。また、第２記録メディア４６への不必要なデータの記録を防止することができる。
【００３５】
上記実施形態では、第１、第２記録メディア４５、４６毎に専用の第１、第２メモリカードスロット４３、４４が設けられたデジタルカメラ２を例示して説明したが、図５に示すように、第１、第２記録メディア４５、４６共用のメモリカードスロット５１が設けられたデジタルカメラ５０に本発明を適用してもよい。このデジタルカメラ５０には、例えば第１、第２記録メディア４５、４６の外形状や端子のピン配列、製造時に予め登録されたＩＤ情報などを元に、メモリカードスロット５１に装填される記録メディアの種類を識別する種類識別センサ５２が設けられている。
【００３６】
デジタルカメラ５０では、メモリカードスロット５１に第２記録メディア４６が装填されていると種類識別センサ５２で識別された場合、上記実施形態と同様に、第２記録メディア４６に記録する画像データのプレビューがＬＣＤ１８に表示される。
【００３７】
なお、図６に示すように、データを第１記録メディア４５に一旦記録しておき、撮影後にまとめて第２記録メディア４６に記録するデータをユーザーに選択させ、選択されたデータのみを第１記録メディア４５から第２記録メディア４６にコピーするようにしてもよい。この場合、ユーザーにより選択されたデータのＥｘｉｆタグに、第２記録メディア４６にコピーする旨を示すコピーフラグを立て、このコピーフラグを参照してデータのコピーを行う。このようにすると、撮影毎にプレビュー表示してユーザーに確認させる手間を省くことができる。
【００３８】
また、図７に示すように、第２記録メディア４６に無条件でデータを記録する特殊モードを設け、特殊モードが選択された場合は、自動的に第２記録メディア４６にデータを記録するようにしてもよい。なお、特殊モードが選択された場合、自動的に高画質撮影モードに切り替えてもよい。
【００３９】
さらに、図８に示すように、再生モード下において、第２記録メディア４６に記録されたデータを、ＥＶＦ１６またはＬＣＤ１８に再生表示する場合、予め登録されたユーザーのパスワードを入力させ、第２記録メディア４６に記録されたデータへのアクセスの可否を判定してもよい。なお、アクセス認証を行う方法としては、上記パスワードの他に、指紋、声紋、網膜などが挙げられる。
【００４０】
なお、上記実施形態では、第１記録メディア４５をカメラ本体から着脱自在な構成としたが、第１記録メディア４５をデジタルカメラ２、５０に内蔵させた場合も、本発明は有効である。また、第２記録メディア４６へのデータの記録の可否を、メニューボタン２１によりユーザーに選択させるようにしたが、撮影条件や画像処理内容などを参照して、デジタルカメラ２内で自動的に記録の可否を切り替えてもよい。
【００４１】
上記実施形態では、撮影装置としてデジタルカメラを例示して説明したが、本発明はこれに限定されず、他の撮影装置、例えばカメラ付き携帯電話などにも適用することができる。
【図面の簡単な説明】
【００４２】
【図１】本発明を適用したデジタルカメラの正面外観斜視図である。
【図２】デジタルカメラの背面図である。
【図３】デジタルカメラの電気的構成を示すブロック図である。
【図４】プレビュー表示を行う場合の処理手順を示すフローチャートである。
【図５】デジタルカメラの別の実施形態を示すブロック図である。
【図６】データコピーを行う場合の処理手順を示すフローチャートである。
【図７】特殊モードを設けた場合の処理手順を示すフローチャートである。
【図８】第２記録メディアに記録されたデータへのアクセス認証を行う場合の処理手順を示すフローチャートである。
【符号の説明】
【００４３】
２、５０  デジタルカメラ
１０  撮像レンズ
１２  レリーズボタン
１６  電子ビューファインダ（ＥＶＦ）
１８  液晶表示器（ＬＣＤ）
１９  操作部
２１  メニューボタン
２２  十字キー
３０  ＣＣＤ
３４  画像信号処理回路
３５  ＳＤＲＡＭ
３９  音声信号処理回路
４２  カードＩ／Ｆ
４３、４４  第１、第２メモリカードスロット
４５、４６  第１、第２記録メディア
４７  ＣＰＵ
５１  メモリカードスロット
５２  種類識別センサ
【図１】
2005151350.tif 000003
【図２】
2005151350.tif 000004
【図３】
2005151350.tif 000005
【図４】
2005151350.tif 000006
【図５】
2005151350.tif 000007
【図６】
2005151350.tif 000008
【図７】
2005151350.tif 000009
【図８】
2005151350.tif 000010